(57)【特許請求の範囲】
【請求項１】
携帯電話機に設けられたバッテリーを充電可能な充電部と、情報を表示可能な充電器用表示部と、充電用接続部と、情報伝達用接続部と、記憶手段と、表示固定手段とを備え、
充電用接続部が、携帯電話機のバッテリーと充電部とを通電可能に接続することにより、携帯電話機のバッテリーが充電部によって充電可能とされ、
情報伝達用接続部が、携帯電話機と充電器用表示部とを情報伝達可能に接続することにより、携帯電話機で受信した情報が充電器用表示部に送られて表示可能とされ、
充電器用表示部に表示可能とされた前記情報が充電器用表示部に表示されると、その表示されていた情報が記憶手段により記憶され、その状態で表示固定手段を操作すると、充電器用表示部には、記憶手段により記憶された情報が表示されてその状態を維持し、携帯電話機から次の情報が伝達されてきても前記次の情報は充電器用表示部には表示されないように構成した、
ことを特徴とする携帯電話機用充電器。
【請求項２】
コンピュータを、携帯電話機に設けられたバッテリーを充電させるとともに携帯電話機で受信した情報を表示する携帯電話機用充電器として機能させるプログラムであって、
携帯電話機用充電器に、携帯電話機のバッテリーを充電させるとともに、携帯電話機で受信されて携帯電話機から伝達されてくる情報を受信し、受信した情報を、携帯電話機用充電器に設けた充電器用表示部に表示させ、前記情報が充電器用表示部に表示されると、その表示されていた情報を記憶手段により記憶させ、その状態で携帯電話機用充電器に設けられた表示固定手段が操作されると、充電器用表示部に、記憶手段により記憶した情報を表示させてその状態を維持させ、携帯電話機から次の情報が伝達されてきても前記次の情報は充電器用表示部には表示されないように実行させるプログラム。
【請求項３】
コンピュータを、携帯電話機に設けられたバッテリーを充電させるとともに携帯電話機で受信した情報を表示する携帯電話機用充電器として機能させるプログラムを記録したコンピュータ読み取り可能な記録媒体であって、
携帯電話機用充電器に、携帯電話機のバッテリーを充電させるとともに、携帯電話機で受信されて携帯電話機から伝達されてくる情報を受信し、受信した情報を、携帯電話機用充電器に設けた充電器用表示部に表示させ、前記情報が充電器用表示部に表示されると、その表示されていた情報を記憶手段により記憶させ、その状態で携帯電話機用充電器に設けられた表示固定手段が操作されると、充電器用表示部に、記憶手段により記憶した情報を表示させてその状態を維持させ、携帯電話機から次の情報が伝達されてきても前記次の情報は充電器用表示部には表示されないように実行させるプログラムを記録したコンピュータ読み取り可能な記録媒体。
【請求項４】
請求項１ないし３のいずれかの携帯電話機用充電器、プログラムまたは記録媒体において、
上記携帯電話機用充電器の充電器用表示部で、情報を、携帯電話機に設けられた表示部で表示する場合よりも拡大して表示可能としたことを特徴とするもの。
【請求項５】
請求項１ないし４のいずれかの携帯電話機用充電器、プログラムまたは記録媒体において、
上記携帯電話機用充電器は、携帯電話機から受信した情報を充電器用表示部で表示可能な形に成形処理することにより、携帯電話機に設けられた表示部で表示不能な情報を充電器用表示部で表示可能とされたことを特徴とするもの。
【請求項６】
請求項１ないし５のいずれかの携帯電話機用充電器、プログラムまたは記録媒体において、
携帯電話機用充電器は、充電器用表示部の解像度を変え得ることを特徴とするもの。
【請求項７】
請求項１、４ないし６のいずれかの携帯電話機用充電器において、
携帯電話機用充電器は、外部機器を接続し得る外部機器用接続部を備え、
この外部機器用接続部を介して、外部機器と携帯電話機とが信号伝達可能に接続できることを特徴とするもの。
【請求項８】
請求項１、４ないし７のいずれかの携帯電話機用充電器において、
充電用接続部と、情報伝達用接続部とが、互いに固定され、
充電用接続部と、情報伝達用接続部との何れか一方の携帯電話機への接続操作に際して、他方が携帯電話機に接続されることを特徴とするもの。
【発明の詳細な説明】
【０００１】
【発明の属する技術分野】
この発明は、携帯電話機を充電するとともに携帯電話機に受信した情報を表示可能とした携帯電話機用充電器、プログラム及びプログラムを記録した記録媒体に関する。
【０００２】
【従来の技術】
今日では、携帯電話機によって、他の携帯電話機等からの電子メールを受け取ることができ、或いは、インターネットを介して種々のウェブサイトから提供されているウェブ情報を受信することができ、受け取った電子メール或いはウェブサイトから受信したウェブ情報を、携帯電話機に設けられた表示部に表示させて見ることができる。
【０００３】
しかしながら、携帯電話機の表示部に表示される電子メールやウェブ情報の文字等の画像が小さいため、小さい文字等を見るのが不得意な人にとっては見難く、利用し難いという課題がある。
【０００４】
又、携帯電話機の表示部に表示できる情報量は、限られているため、通常、情報を、予めテキストデータ等の閲覧可能な文書形式に変換するとともに携帯電話機の表示部に情報の全部を閲覧可能に表示できるように携帯電話機向けに成形処理し、その成形処理した情報（以下、携帯電話機向け情報という）をウェブサイトから提供している。そのため、携帯電話機向け情報として成形処理されていない情報（以下、一般向け情報という）は、テキストデータ等の閲覧可能な文書形式に変換されていないため、パーソナルコンピュータの表示部に表示させて閲覧することができても、携帯電話機の表示部で閲覧可能に表示させることができず、又、そのような一般向け情報をテキストデータ等に変換したとしても、情報量が多いため、その一部しか表示できず、情報の全部を見ることができないという問題点がある。又、電子メールを受信する場合でも、電子メールの情報量が多い場合には、同様に、その一部しか表示できず、電子メールの全部を見ることができない。
【０００５】
その一方、携帯電話機には、バッテリーが内装されて携帯電話機用充電器によって充電されるのが一般的であり、バッテリーの内装された携帯電話機を所有する人は、携帯電話機用充電器が必須とされる。
【０００６】
【発明が解決しようとする課題】
本願発明は、以上のような実情に鑑みて提案されたもので、携帯電話機のバッテリーを充電でき、且つ、小さい文字等を見るのが不得意な人にとっても携帯電話機で受信した種々の情報を容易に見ることができる携帯電話機用充電器等を提供することを目的とする。
【０００７】
本願発明は、携帯電話機のバッテリーを充電でき、且つ、携帯電話機の表示部に表示できない情報量の多い電子メールやウェブ上の種々の情報を充電器用表示部に表示させて閲覧できる携帯電話機用充電器等を提供することを目的とする。
【０００８】
本願発明は、携帯電話機のバッテリーを充電でき、且つ、携帯電話機用充電器の充電器用表示部に表示した情報を記憶し、記憶した情報を携帯電話機用充電器の充電器用表示部に表示することにより、携帯電話機の表示部に表示する情報と異なる情報を携帯電話機用充電器の充電器用表示部に表示できるようにした携帯電話機用充電器等を提供することを目的とする。
【０００９】
【課題を解決するための手段及び発明の作用効果】
本願第１発明は、携帯電話機に設けられたバッテリーを充電可能な充電部と、情報を表示可能な充電器用表示部と、充電用接続部と、情報伝達用接続部と、記憶手段と、表示固定手段とを備え、充電用接続部が、携帯電話機のバッテリーと充電部とを通電可能に接続することにより、携帯電話機のバッテリーが充電部によって充電可能とされ、情報伝達用接続部が、携帯電話機と充電器用表示部とを情報伝達可能に接続することにより、携帯電話機で受信した情報が充電器用表示部に送られて表示可能とされ、充電器用表示部に表示可能とされた前記情報が充電器用表示部に表示されると、その表示されていた情報が記憶手段により記憶され、その状態で表示固定手段を操作すると、充電器用表示部には、記憶手段により記憶された情報が表示されてその状態を維持し、携帯電話機から次の情報が伝達されてきても前記次の情報は充電器用表示部には表示されないように構成したことを特徴とするの携帯電話機用充電器である。
【００１０】
本願第２発明は、コンピュータを、携帯電話機に設けられたバッテリーを充電させるとともに携帯電話機で受信した情報を表示する携帯電話機用充電器として機能させるプログラムであって、
携帯電話機用充電器に、携帯電話機のバッテリーを充電させるとともに、携帯電話機で受信されて携帯電話機から伝達されてくる情報を受信し、受信した情報を、携帯電話機用充電器に設けた充電器用表示部に表示させ、前記情報が充電器用表示部に表示されると、その表示されていた情報を記憶手段により記憶させ、その状態で携帯電話機用充電器に設けられた表示固定手段が操作されると、充電器用表示部に、記憶手段により記憶した情報を表示させてその状態を維持させ、携帯電話機から次の情報が伝達されてきても前記次の情報は充電器用表示部には表示されないように実行させるプログラムである。
【００１１】
本願第３発明は、コンピュータを、携帯電話機に設けられたバッテリーを充電させるとともに携帯電話機で受信した情報を表示する携帯電話機用充電器として機能させるプログラムを記録したコンピュータ読み取り可能な記録媒体であって、
携帯電話機用充電器に、携帯電話機のバッテリーを充電させるとともに、携帯電話機で受信されて携帯電話機から伝達されてくる情報を受信し、受信した情報を、携帯電話機用充電器に設けた充電器用表示部に表示させ、前記情報が充電器用表示部に表示されると、その表示させていた情報を記憶手段により記憶させ、その状態で携帯電話機用充電器に設けられた表示固定手段が操作されると、充電器用表示部に、記憶手段により記憶させた情報を表示させてその状態を維持させ、携帯電話機から次の情報が伝達されてきても前記次の情報は充電器用表示部には表示されないように実行させるプログラムを記録したコンピュータ読み取り可能な記録媒体である。
【００１２】
本願第４発明は、本願第１発明から第３発明の何れかに係る携帯電話機用充電器、プログラムまたは記録媒体において、上記携帯電話機用充電器の充電器用表示部で、情報を、携帯電話機に設けられた表示部で表示する場合よりも拡大して表示することを特徴とするものである。
【００１３】
本願第５発明は、本願第１発明から第４発明の何れかに係る携帯電話機用充電器、プログラムまたは記録媒体において、携帯電話機用充電器は、携帯電話機から受信した情報を充電器用表示部で表示可能な形に成形処理することにより、携帯電話機に設けられた表示部で表示不能な情報を充電器用表示部で表示可能とされたことを特徴とするものである。
【００１４】
本願第６発明は、本願第１発明から第５発明の何れかに係る携帯電話機用充電器、プログラムまたは記録媒体において、携帯電話機用充電器は、充電器用表示部の解像度を変え得ることを特徴とするものである。
【００１６】
本願第７発明は、本願第１発明、第４発明から第６発明の何れかに係る携帯電話機用充電器において、携帯電話機用充電器は、外部機器を接続し得る外部機器用接続部を備え、この外部機器用接続部を介して、外部機器と携帯電話機とが信号伝達可能に接続できることを特徴とするものである。
【００１７】
本願第８発明は、本願第１発明、第４から第７発明の何れかに係る携帯電話機用充電器において、充電用接続部と、情報伝達用接続部とが、互いに固定され、充電用接続部と、情報伝達用接続部との何れか一方の携帯電話機への接続操作に際して、他方が携帯電話機に接続されることを特徴とするものである。
【００１８】
以上のように構成された本願第１発明、第２発明、第３発明においては、携帯電話機のバッテリーを充電部によって充電可能とするとともに、携帯電話機で受信した情報を充電器用表示部に表示可能としたものとする。こうすることにより、例えば携帯電話機で受信した情報を充電器用表示部で拡大して表示し、或いは携帯電話機で表示できない情報量の多い情報を表示することも可能となり、使用便利なものにできる。その一方、携帯電話機には、通常、バッテリーが内装されており、バッテリーを充電する充電器が必要であり、そのバッテリーを充電するための充電器に、携帯電話機で受信した情報を見ることのできる充電器用表示部を設けているため、バッテリーを充電する際に、携帯電話機で受信した情報を見ることができるとともに、持ち運び等の取扱い容易な使用便利なものにできる。
又、携帯電話機用充電器は、充電器用表示部に表示可能とされた前記情報が充電器用表示部に表示されると、その表示されていた情報が記憶手段により記憶され、その状態で表示固定手段を操作すると、充電器用表示部には、記憶手段により記憶された情報が表示されてその状態を維持し、携帯電話機から次の情報が伝達されてきても前記次の情報は充電器用表示部には表示されないように構成されている。
これにより、携帯電話機の表示部で表示される情報と、携帯電話機用充電器の充電器用表示部で表示する情報を異なるものにできる。例えば携帯電話機を用いてレストランに料理の予約をするに際し、種々の料理メニューの情報を受信して表示部に表示させ、その料理メニューの中から気に入った料理を決め、料理メニューに表示された料理の名称或いは番号等を入力する予約入力画面を受信して表示させて、気に行った料理の名称或いは番号等を入力することにより行うことができるようになっている場合があるが、予約入力画面を受信して表示してしまうと、料理メニューを見ることができないため、気に入った料理の名称或いは番号等を覚えていない場合には入力できない。しかし、本願第１発明〜本願第３発明においては、携帯電話機用充電器の充電器用表示部には、料理メニューの情報を表示させておき、携帯電話機の表示部には予約入力画面を表示させ、その状態で、携帯電話機用充電器の充電器用表示部に表示させた料理メニューの情報を見ながら料理の名称或いは番号等を、携帯電話機の表示部に表示させた予約入力画面に入力することが可能となり、使用便利なものにできる。
【００１９】
本願第４発明においては、充電器用表示部で、情報を、携帯電話機に設けられた表示部で表示する場合よりも拡大して表示するものとするため、情報を閲覧し易いものにでき、小さい文字等を見るのが困難な人等でも、容易に閲覧でき、利用しやすいものにできる。
【００２０】
本願第５発明においては、携帯電話機用充電器は、携帯電話機から受信した情報を充電器用表示部で表示可能な形式に成形処理することにより、携帯電話機に設けられた表示部で表示不能な情報を充電器用表示部で表示可能とされたものとする。こうすることにより、例えば携帯電話機で受信した情報が予め携帯電話機向け情報として成形処理されておらず、携帯電話機の表示部でその情報の全体を表示できないような場合でも、充電器用表示部でその情報の全体を表示させて閲覧可能にでき、利用価値の高いものにできる。
【００２１】
本願第６発明においては、携帯電話機用充電器は、充電器用表示部の解像度を変え得るものとする。こうすることにより、例えば充電器用表示部の解像度を低くすることにより、充電器用表示部で情報を、携帯電話機の表示部で表示する場合よりも拡大表示できる。これにより、例えば携帯電話機で受信した情報が予め携帯電話機向け情報として成形処理されたもののように情報量が少ない場合には、携帯電話機の表示部で表示する場合より拡大表示して容易に見ることができる。一方、充電器用表示部の解像度を高くすることにより、携帯電話機の表示部で表示する場合よりも充電器用表示部で表示する情報量を多くできる。これにより、例えば携帯電話機で受信した情報が携帯電話機の表示部で情報の一部だけしか表示できない一般向け情報のような情報量の多い場合でも、充電器用表示部にその全体を表示して見ることが可能になる。
【００２３】
本願第７発明においては、携帯電話機用充電器は、外部機器を接続し得る外部機器用接続部を備え、この外部機器用接続部を介して、外部機器と携帯電話機とが信号伝達可能に接続できるものとする。こうすることにより、例えば携帯電話機用充電器を携帯電話機に接続することによって、携帯電話機に設けられた外部機器を接続する接続部を塞いでしまい、キーボード、パソコン等の他の外部機器を携帯電話機に直接接続できなくなった場合でも、携帯電話機用充電器の外部機器用接続部を介して、キーボード、パソコン等の他の外部機器を携帯電話機に接続できる。
【００２４】
本願第８発明においては、充電用接続部と、情報伝達用接続部とが、互いに固定され、充電用接続部と、情報伝達用接続部との何れか一方の携帯電話機への接続操作に際して、他方が携帯電話機に接続されるものとする。こうすることにより、携帯電話機のバッテリーを充電するために充電用接続部を携帯電話機へ接続操作するという従来と同様の操作で、情報伝達用接続部を携帯電話機に接続でき、携帯電話機への接続操作を容易なものにできる。
【００２５】
【発明の実施の形態】
図１は、本願発明の一実施形態の携帯電話機用充電器を携帯電話機に接続させた状態の正面図、図２は、携帯電話機用充電器の接続部の要部拡大説明図、図３は、携帯電話機用充電器及び携帯電話機の構成を説明するためのブロック図、図４は、携帯電話機用充電器及び携帯電話機のハードウェア構成を示す図面である。
【００２６】
本願発明の携帯電話機用充電器１は、携帯電話機１００に設けられたバッテリーを充電するとともに、携帯電話機１００に受信した情報を表示できるようにしたものである。この本願発明の携帯電話機用充電器１の説明に先立って、まず、携帯電話機１００について、簡単に説明する。
【００２７】
この実施形態における携帯電話機１００は、図１に示すように一般的に使用されているものと同様のもので、図３に示すように受信手段１０１と、記憶手段１０８と、制御手段１０２と、表示手段１０３と、入力手段１０４と、送信手段１０５と、蓄電手段１０６と、接続手段１０７と、情報伝達手段１０９とを備えている。
【００２８】
受信手段１０１は、通話の際の音声データを受信するとともに、ウェブ上で提供されている情報、或いは電子メール等の情報を携帯電話基地局を介して受信する処理を行うもので、図４の通信用インターフェイス１０１ａに対応する。
【００２９】
表示手段１０３は、受信手段１０１により受信した情報等を表示するもので、図４の液晶表示部１０３ａに対応する。
【００３０】
入力手段１０４は、データ等を入力するもので、図１及び図４に示す操作ボタン１０４ａ…１０４ａに対応する。
【００３１】
送信手段１０５は、入力されたデータ等を送信する処理を行なうもので、図４の通信用インターフェイス１０１ａに対応する。
【００３２】
蓄電手段１０６は、電力を蓄積しその蓄積した電力を適宜各部に供給するためのもので、図４の携帯電話機１００の電源としてのバッテリー１０６ａに対応する。
【００３３】
接続手段１０７は、この携帯電話機１００と、キーボード等の外部機器や充電器とを接続させるためのもので、図４の接続部１０７ａに対応する。この接続部１０７ａは、バッテリー用接続部１０７ｂ、情報伝達用接続部１０７ｃ及び外部機器用接続部１０７ｄを備え、又、これらのバッテリー用接続部１０７ｂ、情報伝達用接続部１０７ｃ及び外部機器用接続部１０７ｄ各々は、図２に示すように携帯電話機１００の下面側に設けられた凹部１００ａ内に設けられた端子（図示せず）を備えている。
【００３４】
記憶手段１０８は、この携帯電話機１００を制御するためのプログラムを記憶したもので、図４のメモリ１０８ａに対応する。
【００３５】
制御手段１０２は、メモリ１０８ａに記憶したプログラムを実行し、各部の制御を行なう。又、この制御手段１０２には、検知手段１１３が備えられている。この検知手段１１３は、受信した情報が携帯電話機向け情報として成形処理されたものであるか否かを検知する。この検知手段１１３を有する制御手段１０２は、図４のＣＰＵ１０２ａに対応する。
【００３６】
情報伝達手段１０９は、受信した情報を外部に伝達し、又、外部から情報を内部に伝達するためのもので、情報伝達用インターフェイス１０８ａから構成されている。
【００３７】
本願発明の携帯電話機用充電器１は、図１に示すように充電器本体２と、接続手段３とを備えている。充電器本体２は、図３に示すように充電手段２１と、充電器用蓄電伝手段４５と、達情報受信手段２２と、制御手段２３と、データ成形処理手段２４と、表示手段２５と、解像度変更手段２６と、解像度切替手段２７と、記憶手段２８と、表示固定手段２９と、第１外部機器接続手段４０と、第２外部機器接続手段４１とを備えている。
【００３８】
充電器用蓄電手段４５は、この携帯電話機用充電器１に電力を蓄積するためのものである。この充電器用蓄電手段４５によって蓄積された電力は、携帯電話機１００のバッテリー１０６ａに供給されるとともに、携帯電話機用充電器１の各部に供給される。この充電器用蓄電手段４５は、図４の携帯電話機用充電器１の電源としての充電器用バッテリー４４に対応する。従って、この実施形態では、この携帯電話機用充電器１に設けられた電気コード（図示せず）がＡＣ電源から外されても充電器用蓄電手段４５に蓄積された電力によって、携帯電話機１００のバッテリー１０６ａを充電するとともに、携帯電話機用充電器１の表示手段２５で情報を表示する等、できるようになっている。
【００３９】
充電手段２１は、携帯電話機１００のバッテリー１０６ａを充電するとともに、携帯電話機用充電器１の充電器用バッテリー４４を充電するためのもので、図４に示す充電部３１に対応する。
【００４０】
伝達情報受信手段２２は、携帯電話機１００から伝達されてくる情報を受信する処理を行なうもので、図４の伝達情報受信用インターフェイス３２に対応する。
【００４１】
表示手段２５は、携帯電話機１００から伝達されてきた情報を表示するためのもので、図４の充電器用表示部としての液晶表示部３５に対応する。この実施形態の液晶表示部３５の縦長さは、携帯電話機１００の液晶表示部１０３の縦長の５倍程度の長さに、横長さは、携帯電話機１００の液晶表示部１０３の横長さの７倍程度の長さに、夫々形成されている。又、液晶表示部３５の解像度は、最高の解像度が携帯電話機１００の液晶表示部１０３ａの解像度よりも高く設定されている。
【００４２】
記憶手段２８は、この携帯電話機用充電器１を制御するためのプログラムを記憶している。又、記憶手段２８は、携帯電話機１００のバッテリー１０６ａが充電し終えた旨の携帯電話機１００からの信号を受けるまでは、携帯電話機用充電器１のに蓄積された電力を、携帯電話機用充電器１の表示手段２５等の各部に供給するよりも優先して携帯電話機１００のバッテリー１０６ａに供給するように実行させるプログラムを記憶している。このプログラムにより、例えば携帯電話機用充電器１の充電器用バッテリー４４に蓄積された電気量が少ない場合でも、携帯電話機１００のバッテリー１０６ａが充電し終えていない場合には、携帯電話機用充電器１の各部への供給よりも優先して携帯電話機１００のバッテリー１０６ａに供給し充電する。これにより、携帯電話機用充電器１の充電器用バッテリー４４によって、携帯電話機１００のバッテリー１０６ａを充電するという携帯電話機用充電器１の本来の機能を果たすことができるようにしている。また、記憶手段２８は、液晶表示部３５に表示された情報を記憶する。この記憶手段２８は、図４のメモリ３８に対応する。
【００４３】
制御手段２３は、携帯電話機用充電器１の各部の制御を行ない、例えば充電部３１の制御を行い、充電手段２１により携帯電話機１００を充電させる。又、この制御手段２３には、検知手段５３が備えられている。この検知手段５３は、この実施形態では、画像情報の情報量が、予め定めた所定量より多いか否かを検知する。例えば画像情報の情報量が、５０キロバイトより多いか否かを検知する。尚、この実施形態における検知手段５３による情報量の検知は、携帯電話機向け情報として成形処理された情報の場合は情報量が少ないため、情報量に基づいて検知することにより、携帯電話機向け情報として成形処理された情報であるか否かを検知できるようにしているが、この形態のものに限らず、例えば上述の携帯電話機１００の検知手段１１３のように携帯電話機向け情報として成形処理された情報であるか否かを検知する等、携帯電話機１００から伝達されてきた情報が携帯電話機１００の液晶表示部１０３ａでその全体を閲覧可能に表示できるものか否かを検知するものであれば良く、適宜変更し得る。
【００４４】
データ成形処理手段２４は、携帯電話機１００から伝達されてきた情報が、携帯電話機１００の液晶表示部１０３ａに閲覧可能に表示できない情報である場合に、その情報を閲覧可能に表示できる形式に成形処理する。この実施形態では、伝達されてきたウェブサイトから提供されている一般向け情報を通常のパーソナルコンピュータの表示部で表示する場合と同じ形式に成形処理する。
【００４５】
解像度変更手段２６は、液晶表示部３５の解像度を変える処理を行なう。この実施形態では、標準モードと、標準モードの解像度から解像度を低くして液晶表示部３５に画像を拡大表示する拡大モードとの２種類の解像度に変える処理を行なう。又、標準モードを、液晶表示部３５の最高の解像度で表示するモードに設定し、拡大モードを、携帯電話機１００の液晶表示部１０３ａの解像度と同程度の解像度で表示するモードに設定している。
【００４６】
従って、拡大モードでは、液晶表示部３５に表示される画像の液晶表示部３５に占める比率は、携帯電話機１００の液晶表示部１０３ａに表示される画像の液晶表示部１０３ａに占める比率と同じになる。又、上述のように携帯電話機用充電器１の液晶表示部３５が携帯電話機１００の液晶表示部１０３ａより大きい。その結果、拡大モードで液晶表示部３５に表示される画像は、携帯電話機１００の液晶表示部１０３ａで表示される場合より拡大して表示されるようになっている。
【００４７】
一方、標準モードでは、液晶表示部３５に表示される画像の液晶表示部３５に占める比率は、携帯電話機１００の液晶表示部１０３ａに表示される画像の液晶表示部１０３ａに占める比率より小さくなる。又、携帯電話機用充電器１の液晶表示部３５が携帯電話機１００の液晶表示部１０３ａより大きい。その結果、この実施形態における標準モードでは、液晶表示部３５に表示される画像は、携帯電話機１００の液晶表示部１０３ａで表示される場合と同程度の大きさで表示されるようになっている。従って、標準モードでは、より多くの量の情報を表示し得るものにできる。
【００４８】
尚、この解像度変更手段２６は、２種類の解像度に変えるものに限らず、３種類以上の解像度に変えるようにしても良い。又、複数の解像度に設定する場合の各解像度は、適宜変更でき、例えば液晶表示部３５に表示される画像が携帯電話機１００の液晶表示部１０３ａで表示される場合に比して小さくなるような液晶表示部１０３ａの解像度を標準モードにし、液晶表示部３５に、より多くの量の画像情報を表示できるようにしても良く、適宜変更し得る。
【００４９】
上記、検知手段５３を有する制御手段２３、データ成形処理手段２４及び解像度変更手段２６は、図４のＣＰＵ３３に対応する。
【００５０】
解像度切替手段２７は、液晶表示部３５に表示される情報の画像の解像度を切り替えるためのもので、図１及び図４に示す解像度切替ボタン３７に対応する。この実施形態における解像度切替ボタン３７は、図１に示すように液晶表示部３５の左上部に押圧可能に設けられており、情報が液晶表示部３５に標準モードで表示されている状態から、この解像度切替ボタン３７を一回押圧すると拡大モードに切り替えることができ、その状態から更に一回押圧すると標準モードに戻すことができる。
【００５１】
表示固定手段２９は、液晶表示部３５に表示された情報を、その状態で固定するためのもので、図１及び図４に示す表示固定ボタン３９に対応する。この実施形態における表示固定ボタン３９は、図１に示すように解像度切替ボタン３７の下方側に押圧可能に設けられており、表示固定ボタン３９を一回押圧すると液晶表示部３５に表示されている情報が固定状態になる。詳しくは、例えば携帯電話機１００から伝達されてきた情報が液晶表示部３５に表示されると、その表示されていた情報がメモリ３８に記憶され、その状態で表示固定ボタン３９を一回押圧すると、液晶表示部３５には、メモリ３８に記憶された情報が表示されてその状態を維持し、携帯電話機１００から次の情報が伝達されてきても次の情報は液晶表示部３５には表示されない。従って、この状態では、携帯電話機１００の液晶表示部１０３ａに表示される情報と、携帯電話機用充電器１の液晶表示部３５に表示される情報とは、異なるものになる。
【００５２】
第１外部機器接続手段４０は、プリンター等の外部機器（図示せず）とこの携帯電話機用充電器１とを信号伝達可能に接続させるためのもので、図１及び図４に示す第１外部機器接続部４２に対応する。この第１外部機器接続部４２は、本実施形態では、図１に示すように充電器本体２の壁面に、プリンター等の外部機器を充電器本体２の外から着脱可能且つ信号伝達可能に接続できるようになっている。又、この第１外部機器接続部４２は、バスラインを介して充電器本体２の制御手段２３としてのＣＰＵ３３に接続されており、この第１外部機器接続部４２に、外部機器として、例えばプリンターを接続することにより、液晶表示部３５に表示された情報をプリンターによって印刷できるようになっている。
【００５３】
又、第２外部機器接続手段４１は、外部機器と携帯電話機１００とを信号伝達可能に接続させるためのもので、図１及び図４に示す第２外部機器接続部４３に対応する。この実施形態の第２外部機器接続部４３は、図１に示すように充電器本体２の壁面における第１外部機器接続部４２の下方側に、外部機器を充電器本体２の外から着脱自在且つ信号伝達可能に接続できるようになっている。
【００５４】
携帯電話機用充電器１の接続手段３は、携帯電話機１００のバッテリー用接続部１０７ｂに通電可能に、情報伝達用接続部１０７ｃに情報伝達可能に、夫々接続させるためのものである。本実施形態では、携帯電話機１００のバッテリー用接続部１０７ｂに通電可能に、情報伝達用接続部１０７ｃに情報伝達可能に、外部機器用接続部１０７ｄに信号伝達可能に、夫々接続させるようになっており、図４の携帯電話機用接続部３０に対応する。この携帯電話機用接続部３０は、充電用接続部３０ａと、情報伝達用接続部３０ｂと、外部機器用接続部ｃとの三つの接続部を備えている。これらの充電用接続部３０ａ、情報伝達用接続部３０ｂ、及び外部機器用接続部３０ｃ各々は、図２に示すように充電用電気接続線３２ａ、情報伝達用電気接続線３２ｂ、外部機器用電気接続線３２ｃを備えているとともに、各電気接続線の先端側に夫々、充電用接続端子３３ａ、情報伝達用接続端子３３ｂ、外部機器用接続端子３３ｃを備えている。
【００５５】
これらの電気接続線３２ａ、３２ｂ、３２ｃは、この実施形態では、図１及び図２に示すように束ねられるようにして被覆部材６０で覆われ、外観上、一本の線状にされている。充電用電気接続線３２ａは、後端側が充電器本体２内の充電部３１に接続され、充電部３１から充電器本体２外に延ばされている。情報伝達用電気接続線３２ｂは、バスラインを介して後端側が充電器本体２内のＣＰＵ３３に接続され、ＣＰＵ３３から充電器本体２外に延ばされている。外部機器用電気接続線３２ｃは、後端側が充電器本体２の第２外部機器接続部４３に接続され、第２外部機器接続部４３から充電器本体２外に延ばされている。
【００５６】
又、充電用接続端子３３ａ、情報伝達用接続端子３３ｂ、外部機器用接続端子３３ｃは、被覆部材６０の先端側に取り付けられた筒状の固定部材６１の内部に固定されており、この固定部材６１に充電用接続端子３３ａ、情報伝達用接続端子３３ｂ、及び外部機器用接続端子３３ｃが固定されることにより、充電用接続端子３３ａ、情報伝達用接続端子３３ｂ、外部機器用接続端子３３ｃは、互いに固定された状態になっている。この固定部材６１は、携帯電話機１００の凹部１００ａに取り外し可能に嵌挿し得るような形状に形成されており、この固定部材６１が携帯電話機１００の凹部１００ａに嵌挿されることにより、充電用接続部３０ａの充電用接続端子３３ａと携帯電話機１００のバッテリー用接続部１０７ｂとが接続されるとともに、情報伝達用接続部３０ｂの情報伝達用接続端子３３ｂと携帯電話機１００の情報伝達用接続部１０７ｃとが接続され、更に、外部機器用接続部３０ｃの外部機器用接続端子３３ｃと携帯電話機１００の外部機器用接続部１０７ｄとが接続されるようになっている。尚、この携帯電話機用接続部３０は、この形態のものに限らず、適宜変更でき、異なる機種の携帯電話機１００の接続部１０７ａに応じて信号伝達可能に接続できるものにして実施できる。又、この実施形態では、固定部材６１を携帯電話機１００の凹部１００ａに嵌挿することにより、充電用接続端子３３ａと携帯電話機１００のバッテリー用接続部１０７ｂとを接続すると同時に、情報伝達用接続端子３３ｂと携帯電話機１００の情報伝達用接続部１０７ｃとを接続するとともに、外部機器用接続端子３３ｃと携帯電話機１００の外部機器用接続部１０７ｄとを接続するようにしているが、例えば充電用接続端子３３ａと情報伝達用接続端子３３ｂと外部機器用接続端子３３ｃとを分離可能に形成しておき、携帯電話機１００のバッテリー用接続部１０７ｂ、情報伝達用接続部１０７ｃ、外部機器用接続部１０７ｄに、別個独立に接続できるようにしても良い。
【００５７】
次に、携帯電話機で受信した情報を本願発明の携帯電話機用充電器１に表示する場合の動作について説明する。まず、携帯電話機で情報を受信する処理の流れから説明する。図５は、携帯電話機で情報を受信する場合の処理を示すフローチャートである。
【００５８】
まず、携帯電話機用充電器１に設けた電気コード（図示せず）をＡＣ電源に接続させた状態にし、その状態から携帯電話機用充電器１の携帯電話機用接続部３０の固定部材６１を、携帯電話機１００の凹部１００ａに手で嵌挿する（図５、ステップＳ１）。これにより、携帯電話機用充電器１の充電部用接続部３０ａと携帯電話機１００のバッテリー用接続部１０７ｂとが通電可能に接続される。又、同時に、携帯電話機用充電器１の情報伝達用接続部３０ｄと携帯電話機１００の情報伝達用接続部１０７ｃとが情報伝達可能に接続されるとともに、携帯電話機用充電器１の外部機器用接続部３０ｃと携帯電話機１００の外部機器用接続部１０７ｄとが信号伝達可能に接続され、この状態で、携帯電話機１００のバッテリーが、携帯電話機用充電器１の充電部３１によって、充電され始める。又、この状態で、画像情報が携帯電話機１００から携帯電話機用充電器１に伝達可能状態になる（図５、ステップＳ２）。
【００５９】
尚、図５には示していないが、携帯電話機用充電器１の電気コードがＡＣ電源に接続されると、携帯電話機用充電器１の充電器用バッテリー４４が充電され始める。従って、携帯電話機用充電器１の充電器用バッテリー４４が充電された後は、携帯電話機用充電器１の電気コードがＡＣ電源から外されても、携帯電話機用充電器１の充電器用バッテリー４４によって、携帯電話機１００のバッテリーが充電されるとともに、画像情報が携帯電話機１００から携帯電話機用充電器１に伝達可能状態になる。又、携帯電話機用充電器１の充電器用バッテリー４４に蓄積された電気量が少ない場合でも、携帯電話機１００のバッテリー１０６ａを充電し終えた旨の信号を携帯電話機１００から受けるまで、携帯電話機用充電器１の充電器用バッテリー４４に蓄積された電力を、携帯電話機用充電器１の各部への供給よりも優先して携帯電話機１００のバッテリー１０６ａに供給する。これにより、携帯電話機用充電器１の充電器用バッテリー４４に蓄積された電力が、携帯電話機用充電器１の各部へ供給されてしまって携帯電話機１００のバッテリー１０６ａに供給できずに充電できないというようなことを防止でき、携帯電話機１００のバッテリー１０６ａを充電するという携帯電話機用充電器１の本来の機能を果たすことができる。
【００６０】
上記の状態から、携帯電話機１００を操作することによって、電子メール又はウェブサイトから携帯電話基地局を介して情報を受信する（図５、ステップＳ３）。
【００６１】
情報を受信した携帯電話機１００は、情報伝達インターフェイス１０９ａを介して携帯電話機用充電器１側に送るととともに、携帯電話機１００の液晶表示部１０３ａ側に送る（図５、ステップＳ４）。
【００６２】
又、携帯電話機１００は、液晶表示部１０３ａ側に伝達されてきた情報を、検知手段１０２によって、携帯電話機向け情報として成形処理された情報であるか否か検知する（図５、ステップＳ５）。携帯電話機向け情報であると検知した場合は液晶表示部１０３ａにそのまま情報を表示する（図５、ステップＳ６）。一方、携帯電話機向け情報でないと検知した場合は、液晶表示部１０３ａに情報を表示せずに「表示できない」旨を表示する（図５、ステップＳ７）。
【００６３】
次に、携帯電話機で受信した情報の伝達を受けた携帯電話機用充電器１がその情報を表示する場合の処理の流れについて説明する。図６は、携帯電話機で受信した情報の伝達を受けた携帯電話機用充電器１がその情報を表示する処理を示すフローチャートである。
【００６４】
携帯電話機用充電器１は、携帯電話機から情報伝達する旨の信号を受けたか否かを検知する（図６、ステップＳ１１）。そして、信号を受けた場合は、携帯電話機から情報を受信する（図６、ステップＳ１２）。一方、信号を受けていない場合は、携帯電話機から情報伝達する旨の信号が送られてくるのを待つ（図６、ステップＳ１０）。
【００６５】
情報を受信した携帯電話機用充電器１は、検知手段５３によって、情報量が所定量より多いか否かを検知する（図６、ステップＳ１３）。例えば携帯電話機用向け情報のように情報量の少ないものは、所定量より少ないと検知する。そして、所定量より少ないと検知した場合は、解像度変更手段２６によって拡大モードにして液晶表示部３５に表示する（図６、ステップＳ１４）。これにより、携帯電話機１００で受信した情報を液晶表示部３５で、携帯電話機１００の液晶表示部１０３ａに表示する場合より拡大して表示でき（図９（Ａ）参照）、見易くできる。したがって、小さい文字等を見るのが不得意な人でも簡単に見ることができる。
【００６６】
一方、情報量が所定量より多いと検知した場合は、データ成形処理手段２４によって情報を、一般的なパーソナルコンピュータでウェブ上の情報を表示する場合と同じ形式に成形処理する（図６、ステップＳ１５）。そして、その成形処理した情報を、図９（Ａ）に示すように液晶表示部３５に標準モードで表示し（図６、ステップＳ１６）、携帯電話機１００によって受信し携帯電話機１００の液晶表示部１０３ａで表示できない情報量の多い情報の全部を表示する。従って、携帯電話機１００を介して一般向け情報を受信し、パーソナルコンピュータと同じように表示して閲覧できる。
【００６７】
又、この状態から、解像度切替ボタン３７が押圧されると、図７に示すように検知手段５３によって解像度切替ボタン３７が押圧されたことを検知し（図７、ステップＳ２１）、解像度変更手段２６によって、液晶表示部３５に表示された情報の解像度を、図９（Ａ）に示す標準モードから図９（Ｂ）に示す拡大モードに変えて表示する（図７、ステップＳ２２）。これにより、情報を拡大モードにして閲覧できる。
【００６８】
又、表示固定ボタン３９が押圧されると、図８に示すように表示固定ボタン３９が押圧されたことを検知手段５３が検知し、メモリ３８が液晶表示部３５に表示されていた情報を記憶してその記憶した情報を液晶表示部３５に表示した状態にする。従って、この状態で、携帯電話機１００で新たな情報が受信され、新たな情報が携帯電話機１００の液晶表示部１０３ａで表示されるとともに、携帯電話機１００から送られてきても、この携帯電話機用充電器１の液晶表示部３５には、新たな情報は表示されずに、そのままその情報の表示状態を維持する。このようにして新たな情報に関わらずにそのままその情報の表示状態を維持することにより、例えば料理店のウェブサイトにアクセスし、料理店の料理メニューの情報を受信し、図１０に示すように、料理メニュー画面１１１を携帯電話機用充電器１の液晶表示部３５に表示し、その表示した料理メニュー画面１１１に基づいて、料理店に予約する場合、携帯電話機用充電器１の液晶表示部３５をその料理メニュー画面１１１の表示のままにしておき、携帯電話機１００で、更に予約入力画面情報を受信して携帯電話機１００の液晶表示部１０３ａにその予約入力画面１１２を表示させ、携帯電話機用充電器１の液晶表示部３５に表示させた料理メニュー画面１１１を見ながら予約入力画面１１２に、必要な情報を入力できる。従って、料理メニュー画面１１１に基づいて、料理店に携帯電話機１００だけで予約する場合には、料理メニュー画面１１１に表示された情報を操作する人が自ら覚えておいて、料理予約画面１１２を表示させ、その覚えておいた料理メニュー画面１１１の情報を入力しなければならないようなことを防止でき、簡単に予約できる。以上が、携帯電話機１００で受信した情報を、携帯電話機用充電器１の液晶表示部３５で表示する場合の説明である。
【００６９】
次に、外部機器を携帯電話機用充電器１に接続する場合について説明する。携帯電話機用充電器１と携帯電話機１００とを接続した状態から、例えば外部機器として、プリンターを、携帯電話機用充電器１の第１外部機器接続部４２に接続する。これにより、プリンターと携帯電話機用充電器１とが信号伝達可能に接続して携帯電話機用充電器１の液晶表示部３５に表示した情報を印刷可能状態にでき、適宜液晶表示部３５に表示した情報を印刷することができる。
【００７０】
また、例えば外部機器として、キーボードを、携帯電話機用充電器１の第２外部機器接続部４３に接続する。これにより、キーボードと携帯電話機１００とが接続されてキーボードから携帯電話機１００に入力可能状態になる。こうすることにより、本実施形態のように携帯電話機１００の接続部１０７ａの凹部１００ａに、携帯電話機用充電器１の携帯電話機用接続部３０の固定部材６１を嵌挿させて接続させることにより、携帯電話機１００の接続部１０７ａの凹部１００ａ全体を塞いで閉まった場合には、他の外部機器としてのキーボード等を接続できなくなってしまうが、携帯電話機用充電器１に、他の外部機器と携帯電話機１００とを携帯電話機用充電器１を介して接続するための第２外部機器接続部４３を設けておくことにより、携帯電話機用充電器１と携帯電話機１００とを接続させた状態で、携帯電話機用充電器１以外の他の外部機器と携帯電話機１００とを接続して使用でき、使用便利なものにできる。
【００７１】
尚、本実施形態では、携帯電話機１００で受信した情報を、携帯電話機１００の液晶表示部１０３ａと携帯電話機用充電器１の液晶表示部３５とに同時に表示できるようにしているが、携帯電話機１００で受信した情報を、携帯電話機１００の液晶表示部１０３ａと携帯電話機用充電器１の液晶表示部３５との一方に、選択的に表示できるようにしても良く、適宜変更し得る。
【００７２】
又、本実施形態では、携帯電話機用充電器１にデータ成形処理手段２４を設け、携帯電話機１００の液晶表示部１０３ａで表示できない情報を、データ成形処理手段２４によって携帯電話機用充電器１の液晶表示部３５に閲覧可能に表示できるように成形処理するようにしているが、例えば携帯電話機用充電器１にデータ成形処理手段２４を設けないものとし、携帯電話機用充電器１の液晶表示部３５に携帯電話機１００の液晶表示部１０３ａに表示できる情報だけを表示させるようにしても良い。又、データ成形処理手段２４を設ける場合において、データ成形処理手段２４を携帯電話機用充電器１に代えて携帯電話機１００に設けるようにしても良く、適宜変更できる。
【００７３】
また、本実施形態においては、外部機器接続手段として、第１外部機器接続部４２と第２外部機器接続部４３とを設けているが、例えば第１外部機器接続部４２と第２外部外部機器接続部４３との何れか一方を設けるようにしても良い。又、外部機器接続手段としての第１外部機器接続部４２と第２外部機器接続部４３との両方を設けないものしても良く、適宜変更し得る。
【００７４】
更には、本実施形態においては、携帯電話機用充電器１に、解像度変更手段２６、解像度切替手段２７及び表示固定手段２９を備えたものにしているが、この形態のものに限らず、解像度変更手段２６、解像度切替手段２７、表示固定手段２９の内の一つまたは二つを設けるようにし、或いは、それらの全部を設けないものとして実施することもでき適宜変更できる。
【００７５】
又、携帯電話機１００と携帯電話機用充電器１との接続は、この実施形態では、接触的に行なっているが、非接触的に行なうことも可能であり、適宜変更して実施できる。
【００７６】
また、この実施形態では、携帯電話機用充電器１に、電力を蓄積する蓄電手段としての充電器用バッテリー４４を備えたものとし、この充電器用バッテリー４４によって、使用の都度、携帯電話機用充電器１に設けた電気コードをＡＣ電源に接続しなくても充電器用バッテリー４４に予め蓄積した電力によって携帯電話機１００のバッテリー１０６ａを充電するとともに、携帯電話機用充電器１の液晶表示部３５に情報を表示できる等しているが、この形態のものに限らず、例えば携帯電話機用充電器１に充電器用バッテリー４４を設けないものにしても良く、適宜変更し得る。
【００７７】
更に、この実施形態の携帯電話機用充電器１は、電力を蓄積するとともに、携帯電話機１００のバッテリー１０６ａが充電し終えた旨の携帯電話機１００からの信号を受けるまで、蓄積された電力を、携帯電話機用充電器１の各部に供給するよりも優先して携帯電話機１００のバッテリー１０６ａに供給するように実行させるプログラムを備えたものとしている。このプログラムにより、携帯電話機用充電器１の充電器用バッテリー４４に蓄積された電力が携帯電話機用充電器１へ供給されてしまって携帯電話機１００のバッテリー１０６ａを充電できないというようなことを防止し、携帯電話機１００のバッテリー１０６ａを充電するという携帯電話機用充電器１の本来の機能を確実に果たすことができるようにしているが、このようなプログラムを設けない形態のものであっても良い。
【図面の簡単な説明】
【図１】この発明の一実施形態の携帯電話機用充電器を携帯電話機に接続した状態の正面図である。
【図２】携帯電話機用充電器の接続部の要部拡大説明図である。
【図３】この発明の一実施形態の携帯電話機用充電器の構成を説明するためのブロック図である。
【図４】図３に示す一実施形態の携帯電話機用充電器及びこの携帯電話機用充電器に用いる携帯電話機のハードウェア構成の一例を示すブロック図である。
【図５】携帯電話機で情報を受信する処理の流れの一例を示すフローチャートである。
【図６】携帯電話機から伝達されてくる情報を携帯電話機用充電器が受信して表示する処理の流れの一例を示すフローチャートである。
【図７】携帯電話機用充電器の液晶表示部で表示した情報の解像度を変える処理の流れの一例を示すフローチャートである。
【図８】携帯電話機用充電器の液晶表示部で表示した情報を記憶して、その記憶した情報を液晶表示部で表示する処理の流れの一例を示すフローチャートである。
【図９】（Ａ）は、携帯電話機用充電器の液晶表示部で情報を標準モードで表示した状態の正面図、（Ｂ）は、携帯電話機用充電器の液晶表示部で情報を拡大モードで表示した状態の正面図である。
【図１０】携帯電話機用充電器の液晶表示部で表示した情報を記憶しその記憶した情報を液晶表示部に表示した状態の説明図である。
【符号の説明】
１・・・・・・携帯電話機用充電器
２・・・・・・充電器本体
２２・・・・・液晶表示部
３０・・・・・携帯電話機用接続部
１００・・・・携帯電話機
１０３ａ・・・液晶表示部
【図１】
0003787081.tif 000002
【図２】
0003787081.tif 000003
【図３】
0003787081.tif 000004
【図４】
0003787081.tif 000005
【図５】
0003787081.tif 000006
【図６】
0003787081.tif 000007
【図７】
0003787081.tif 000008
【図８】
0003787081.tif 000009
【図９】
0003787081.tif 000010
【図１０】
0003787081.tif 000011